(57)【特許請求の範囲】
【請求項１】
長尺状の記録媒体を、架け渡された状態で前記記録媒体の長手方向に沿った搬送方向に連続的に搬送する搬送部と、
前記搬送部によって搬送されている前記記録媒体の記録面に画像を記録する記録部と、を備え、
前記搬送部は、
前記記録部より前記搬送方向の上流側に設けられる第一搬送ローラと、
前記第一搬送ローラより前記搬送方向の下流側で且つ前記記録部より前記搬送方向の上流側に設けられ、架け渡された状態で搬送されている前記記録媒体が通過する第一調整ローラと、
前記記録部より前記搬送方向の下流側で且つ前記第一調整ローラと前記搬送方向に並んで設けられ、架け渡された状態で搬送されている前記記録媒体が通過する第二調整ローラと、
前記第二調整ローラより前記搬送方向の下流側に設けられる第二搬送ローラと、
前記搬送方向において前記第一調整ローラと前記記録部との間に設けられ、前記第一調整ローラを通過した前記記録媒体の短手方向の第一側の側端部に接する第一ピンと、
前記搬送方向において前記記録部と前記第二調整ローラとの間で且つ前記第一ピンと前記搬送方向に並んで設けられ、前記記録部を通過した前記記録媒体の前記短手方向の第一側の側端部に接する第二ピンと、を備え、
前記第一調整ローラと前記第二調整ローラとは、前記記録媒体の記録面とは反対側の面に接する周側面が前記短手方向の第一側と第二側とのそれぞれから中央側に向かって傾斜した凹状面をなし、
前記搬送部では、前記記録媒体は、前記第一搬送ローラ及び前記第二搬送ローラの各周側面に押圧された状態で且つ前記第一搬送ローラと前記第二搬送ローラとの間を架け渡された状態で搬送される、画像記録装置。
【請求項２】
長尺状の記録媒体を、架け渡された状態で前記記録媒体の長手方向に沿った搬送方向に連続的に搬送する搬送部と、
前記搬送部によって搬送されている前記記録媒体の記録面に画像を記録する記録部と、を備え、
前記搬送部は、
前記記録部より前記搬送方向の上流側に設けられ、架け渡された状態で搬送されている前記記録媒体が通過する第一調整ローラと、
前記記録部より前記搬送方向の下流側で且つ前記第一調整ローラと前記搬送方向に並んで設けられ、架け渡された状態で搬送されている前記記録媒体が通過する第二調整ローラと、
前記搬送方向において前記第一調整ローラと前記記録部との間に設けられ、前記第一調整ローラを通過した前記記録媒体の短手方向の第一側の側端部に接する第一ピンと、
前記搬送方向において前記記録部と前記第二調整ローラとの間で且つ前記第一ピンと前記搬送方向に並んで設けられ、前記記録部を通過した前記記録媒体の前記短手方向の第一側の側端部に接する第二ピンと、を備え、
前記第一調整ローラと前記第二調整ローラとは、前記記録媒体の記録面とは反対側の面に接する周側面が前記短手方向の第一側と第二側とのそれぞれから中央側に向かって傾斜した凹状面をなし、
前記第一ピンは、前記第一ピンの周側面のうち、前記記録媒体の前記短手方向の第一側の側端部に接する前記短手方向の第二側の側面部が、前記搬送方向に並んで設けられる前記第一調整ローラ及び前記第二調整ローラの各周側面の谷底位置より前記短手方向の第二側となる位置又は前記搬送方向に並んで設けられる前記第一調整ローラ及び前記第二調整ローラの各周側面の谷底位置と一致する位置に設けられ、
前記第二ピンは、前記第二ピンの周側面のうち、前記記録媒体の前記短手方向の第一側の側端部に接する前記短手方向の第二側の側面部が、前記搬送方向に並んで設けられる前記第一調整ローラ及び前記第二調整ローラの各周側面の谷底位置より前記短手方向の第二側となる位置又は前記搬送方向に並んで設けられる前記第一調整ローラ及び前記第二調整ローラの各周側面の谷底位置と一致する位置に設けられる、画像記録装置。
【請求項３】
前記第一ピンと前記第二ピンとは、鉛直方向に立てて設けられる、請求項１又は請求項２に記載の画像記録装置。
【請求項４】
前記記録部は、インクを吐出するノズルが形成されたインクジェットヘッドにより形成される、請求項１から請求項３の何れか１項に記載の画像記録装置。
【請求項５】
請求項１から請求項４の何れか１項に記載の画像記録装置が備える前記搬送部によって、前記短手方向の第一側の厚みが第二側の厚みより厚くなる前記記録媒体を、架け渡された状態で前記搬送方向に連続的に搬送する搬送工程と、
前記画像記録装置が備える前記記録部によって、前記搬送工程で前記搬送部により搬送されている前記記録媒体の記録面に画像を記録する記録工程と、を含み、
前記搬送工程は、
架け渡された状態で搬送されている前記記録媒体を、前記第一調整ローラを通過させる上流側調整工程と、
架け渡された状態で搬送され且つ前記第一調整ローラを通過した前記記録媒体の前記短手方向の第一側の側端部を、前記第一ピンに接させる上流側接触工程と、
架け渡された状態で搬送され且つ前記記録部を通過した前記記録媒体の前記短手方向の第一側の側端部を、前記第二ピンに接させる下流側接触工程と、
架け渡された状態で搬送され且つ前記第二ピンを通過した前記記録媒体を、前記第二調整ローラを通過させる下流側調整工程と、を含み、
前記上流側調整工程は、前記記録媒体の記録面とは反対側の面が前記第一調整ローラの周側面に接し、且つ、前記記録媒体の前記短手方向の第一側の側端部が前記第一調整ローラの周側面の谷底部分を通過する状態で行われ、
前記下流側調整工程は、前記記録媒体の記録面とは反対側の面が前記第二調整ローラの周側面に接し、且つ、前記記録媒体の前記短手方向の第一側の側端部が前記第二調整ローラの周側面の谷底部分を通過する状態で行われる、画像記録方法。
【発明の詳細な説明】
【技術分野】
【０００１】
本発明は、架け渡された状態で搬送されている長尺状の記録媒体の記録面に画像を記録する、画像記録装置と画像記録方法に関する。
【背景技術】
【０００２】
画像記録装置と画像記録方法に関する技術が提案されている。例えば、特許文献１には、記録媒体に画像形成を行うインクジェットプリンタが開示されている。このインクジェットプリンタは、記録媒体に向けてＵＶインクを液滴として吐出する。記録媒体は、帯状のウェブである。記録媒体は、止まらずに連続して搬送される。インクジェットプリンタは、ウェブ搬送装置と、画像形成部を備える。ウェブ搬送装置は、記録媒体を搬送する。ウェブ搬送装置は、元巻きローラと、複数の従動ローラと、巻取ローラと、張力調整用ローラを備える。画像形成部は、ウェブ搬送装置によって搬送される記録媒体に対して画像形成を行う。画像形成部は、２個の従動ローラの間で張られた記録媒体の上方においてプラテンに対向するように配置されている。第一の従動ローラは、画像形成部より元巻きローラの側に設けられる。第二の従動ローラは、画像形成部より巻取ローラの側に設けられる。ウェブ搬送装置では、モータ等の駆動源によって巻取ローラが回転する。これにより、ウェブ搬送装置では、記録媒体が元巻きローラから引き出されて、巻取ローラに搬送される。張力調整用ローラは、第一の従動ローラより元巻きローラの側に設けられる。
【０００３】
特許文献２には、電子写真方式を用いた連続紙印刷装置が開示されている。この印刷装置では、バッファ機構部が用紙搬送経路上の搬送トラクタと定着機構部の間に配置される。バッファ機構部は、バッファシャフトを備える。バッファシャフトは、所定の角度回動可能とされる。用紙は、バッファシャフトの上側を通過する。用紙には、バッファシャフト等を介して用紙の幅全域にテンションが与えられる。用紙は、幅方向において厚さが違う特殊用紙である。バッファ機構部には、用紙の幅方向で用紙に対して傾き補正が可能な機構が導入される。バッファ機構部では、この用紙幅方向の傾きにより用紙の蛇行補正が行われる。定着機構部は、ヒートローラとバックアップローラを有する。用紙は、両者に挟持された状態で搬送される。定着機構部では、バックアップローラがヒートローラに対して傾斜して押し付けられる。これにより、定着機構部では、用紙蛇行補正が行われる。
【先行技術文献】
【特許文献】
【０００４】
【特許文献１】特開２００４−９１１５１号公報
【特許文献２】特開２０１２−１５８４５６号公報
【発明の概要】
【発明が解決しようとする課題】
【０００５】
記録媒体に画像を記録した画像形成物が生産されている。画像形成物の基材となる記録媒体は、短手方向の第一側の厚みが第二側の厚みより厚くなる長尺状の記録媒体である場合もある。長尺状の記録媒体の短手方向は、記録媒体の幅方向である。このような記録媒体の中には、幅が数ｍｍ〜十数ｍｍ程度の幅狭のものもある。短手方向の第一側と第二側で厚みが異なる記録媒体を連続的に搬送する場合、記録媒体の斜行又は蛇行が問題となることがある。搬送対象である記録媒体には、搬送時に張力が作用する。記録媒体の斜行又は蛇行は、搬送時における張力による記録媒体の伸びが短手方向の第一側と第二側で異なることに起因して生じる。短手方向の第二側では、厚みの厚い第一側より伸びが大きくなる。短手方向の第一側と第二側で記録媒体を押圧する力を変化させることで、記録媒体の斜行又は蛇行を抑制することができることがある。発明者は、幅狭の記録媒体では、短手方向の第一側と第二側で押圧力を変化させることは困難であると考えた。
【０００６】
発明者は、長尺状の記録媒体の厚み及び／又は幅等の形状に関わらず、記録部を通過する際の記録媒体の斜行又は蛇行を抑制し、記録媒体に高品位な画像を記録可能な画像記録装置と画像記録方法について検討を行った。その際、発明者は、画像記録装置のメンテナンス性も考慮し、斜行又は蛇行をシンプルな構成により抑制する点に留意した。複雑な構成は、メンテナンスが行い難くなる場合がある。画像形成物の生産現場において、メンテナンスに長時間を要すると、生産性が低下することとなる。
【０００７】
本発明は、記録部を通過途中の記録媒体の部分の斜行又は蛇行を抑制し、高品位な画像を記録することができる、画像記録装置と画像記録方法を提供することを目的とする。
【課題を解決するための手段】
【０００８】
本発明の一側面は、長尺状の記録媒体を、架け渡された状態で前記記録媒体の長手方向に沿った搬送方向に連続的に搬送する搬送部と、前記搬送部によって搬送されている前記記録媒体の記録面に画像を記録する記録部と、を備え、前記搬送部は、前記記録部より前記搬送方向の上流側に設けられる第一搬送ローラと、前記第一搬送ローラより前記搬送方向の下流側で且つ前記記録部より前記搬送方向の上流側に設けられ、架け渡された状態で搬送されている前記記録媒体が通過する第一調整ローラと、前記記録部より前記搬送方向の下流側で且つ前記第一調整ローラと前記搬送方向に並んで設けられ、架け渡された状態で搬送されている前記記録媒体が通過する第二調整ローラと、前記第二調整ローラより前記搬送方向の下流側に設けられる第二搬送ローラと、前記搬送方向において前記第一調整ローラと前記記録部との間に設けられ、前記第一調整ローラを通過した前記記録媒体の短手方向の第一側の側端部に接する第一ピンと、前記搬送方向において前記記録部と前記第二調整ローラとの間で且つ前記第一ピンと前記搬送方向に並んで設けられ、前記記録部を通過した前記記録媒体の前記短手方向の第一側の側端部に接する第二ピンと、を備え、前記第一調整ローラと前記第二調整ローラとは、前記記録媒体の記録面とは反対側の面に接する周側面が前記短手方向の第一側と第二側とのそれぞれから中央側に向かって傾斜した凹状面をなし、前記搬送部では、前記記録媒体は、前記第一搬送ローラ及び前記第二搬送ローラの各周側面に押圧された状態で且つ前記第一搬送ローラと前記第二搬送ローラとの間を架け渡された状態で搬送される、画像記録装置である。
【０００９】
これによれば、記録媒体の短手方向の第一側の側端部を、周側面が凹状面をなす第一調整ローラと第二調整ローラの各谷底部分に配置することができる。このような配置により、記録媒体を搬送方向に安定して搬送することができる。これに伴い、記録部を通過途中の記録媒体の部分を直線的に搬送することができる。第一ピンと第二ピンにより、記録媒体の直線的な搬送をガイドし、短手方向の第一側への記録媒体の移動を規制することができる。その結果、記録部を通過途中の記録媒体の部分の位置を安定させることができる。例えば、記録媒体が、短手方向の第一側の厚みが第二側の厚みより厚くなる長尺状であるとする。このような場合であっても、記録部を通過途中の記録媒体の部分の位置を安定させ、記録媒体の直線的な搬送をガイドすることができる。画像が記録された記録面に接することなく、記録媒体の斜行又は蛇行を抑制することができる。
【００１０】
本発明の他の側面は、長尺状の記録媒体を、架け渡された状態で前記記録媒体の長手方向に沿った搬送方向に連続的に搬送する搬送部と、前記搬送部によって搬送されている前記記録媒体の記録面に画像を記録する記録部と、を備え、前記搬送部は、前記記録部より前記搬送方向の上流側に設けられ、架け渡された状態で搬送されている前記記録媒体が通過する第一調整ローラと、前記記録部より前記搬送方向の下流側で且つ前記第一調整ローラと前記搬送方向に並んで設けられ、架け渡された状態で搬送されている前記記録媒体が通過する第二調整ローラと、前記搬送方向において前記第一調整ローラと前記記録部との間に設けられ、前記第一調整ローラを通過した前記記録媒体の短手方向の第一側の側端部に接する第一ピンと、前記搬送方向において前記記録部と前記第二調整ローラとの間で且つ前記第一ピンと前記搬送方向に並んで設けられ、前記記録部を通過した前記記録媒体の前記短手方向の第一側の側端部に接する第二ピンと、を備え、前記第一調整ローラと前記第二調整ローラとは、前記記録媒体の記録面とは反対側の面に接する周側面が前記短手方向の第一側と第二側とのそれぞれから中央側に向かって傾斜した凹状面をなし、前記第一ピンは、前記第一ピンの周側面のうち、前記記録媒体の前記短手方向の第一側の側端部に接する前記短手方向の第二側の側面部が、前記搬送方向に並んで設けられる前記第一調整ローラ及び前記第二調整ローラの各周側面の谷底位置より前記短手方向の第二側となる位置又は前記搬送方向に並んで設けられる前記第一調整ローラ及び前記第二調整ローラの各周側面の谷底位置と一致する位置に設けられ、前記第二ピンは、前記第二ピンの周側面のうち、前記記録媒体の前記短手方向の第一側の側端部に接する前記短手方向の第二側の側面部が、前記搬送方向に並んで設けられる前記第一調整ローラ及び前記第二調整ローラの各周側面の谷底位置より前記短手方向の第二側となる位置又は前記搬送方向に並んで設けられる前記第一調整ローラ及び前記第二調整ローラの各周側面の谷底位置と一致する位置に設けられる、画像記録装置である。
【００１１】
これによれば、記録媒体の短手方向の第一側の側端部を、周側面が凹状面をなす第一調整ローラと第二調整ローラの各谷底部分に配置することができる。このような配置により、記録媒体を搬送方向に安定して搬送することができる。これに伴い、記録部を通過途中の記録媒体の部分を直線的に搬送することができる。第一ピンと第二ピンにより、記録媒体の直線的な搬送をガイドし、短手方向の第一側への記録媒体の移動を規制することができる。記録媒体を短手方向の第二側に押圧することができる。その結果、記録部を通過途中の記録媒体の部分の位置を安定させることができる。記録部を通過途中の記録媒体の部分を安定した状態とすることができる。例えば、記録媒体が、短手方向の第一側の厚みが第二側の厚みより厚くなる長尺状であるとする。このような場合であっても、記録部を通過途中の記録媒体の部分の位置を安定させ、記録媒体の直線的な搬送をガイドすることができる。画像が記録された記録面に接することなく、記録媒体の斜行又は蛇行を抑制することができる。
【００１２】
前記第一ピンと前記第二ピンとは、鉛直方向に立てて設けられる、ようにしてもよい。これによれば、記録媒体の記録面を水平な状態に維持することができる。
【００１３】
前記記録部は、インクを吐出するノズルが形成されたインクジェットヘッドにより形成される、ようにしてもよい。これによれば、インクジェットヘッドから吐出されたインクが着弾した記録面の状態を維持することができる。記録媒体の記録面に記録された画像を高品位な状態に維持することができる。
【００１４】
本発明の更に他の側面は、上述した何れかの画像記録装置が備える前記搬送部によって、前記短手方向の第一側の厚みが第二側の厚みより厚くなる前記記録媒体を、架け渡された状態で前記搬送方向に連続的に搬送する搬送工程と、前記画像記録装置が備える前記記録部によって、前記搬送工程で前記搬送部により搬送されている前記記録媒体の記録面に画像を記録する記録工程と、を含み、前記搬送工程は、架け渡された状態で搬送されている前記記録媒体を、前記第一調整ローラを通過させる上流側調整工程と、架け渡された状態で搬送され且つ前記第一調整ローラを通過した前記記録媒体の前記短手方向の第一側の側端部を、前記第一ピンに接させる上流側接触工程と、架け渡された状態で搬送され且つ前記記録部を通過した前記記録媒体の前記短手方向の第一側の側端部を、前記第二ピンに接させる下流側接触工程と、架け渡された状態で搬送され且つ前記第二ピンを通過した前記記録媒体を、前記第二調整ローラを通過させる下流側調整工程と、を含み、前記上流側調整工程は、前記記録媒体の記録面とは反対側の面が前記第一調整ローラの周側面に接し、且つ、前記記録媒体の前記短手方向の第一側の側端部が前記第一調整ローラの周側面の谷底部分を通過する状態で行われ、前記下流側調整工程は、前記記録媒体の記録面とは反対側の面が前記第二調整ローラの周側面に接し、且つ、前記記録媒体の前記短手方向の第一側の側端部が前記第二調整ローラの周側面の谷底部分を通過する状態で行われる、画像記録方法である。
【００１５】
これによれば、厚みの厚い記録媒体の短手方向の第一側の側端部を、周側面が凹状面をなす第一調整ローラと第二調整ローラの各谷底部分に配置することで、記録媒体を搬送方向に安定して搬送することができる。これに伴い、記録部を通過途中の記録媒体の部分を直線的に搬送することができる。第一ピンと第二ピンにより、記録媒体の直線的な搬送をガイドし、短手方向の第一側への記録媒体の移動を規制することができる。その結果、記録部を通過途中の記録媒体の部分の位置を安定させることができる。画像が記録された記録面に接することなく、記録媒体の斜行又は蛇行を抑制することができる。
【発明の効果】
【００１６】
本発明によれば、記録部を通過途中の記録媒体の部分の斜行又は蛇行を抑制し、高品位な画像を記録することができるシンプルな画像記録装置を得ることができる。記録部を通過途中の記録媒体の部分の斜行又は蛇行を抑制し、高品位な画像を記録することができる画像記録方法を得ることができる。
【図面の簡単な説明】
【００１７】
【図１】インクジェット記録装置の一例を示す正面図である。
【図２】長尺状の記録媒体の一例を示す斜視図である。長手方向に連続する記録媒体の一部を示す。
【図３】インクジェットヘッドをノズルが形成された吐出面の側から視た図である。
【図４】第一調整ローラと第二調整ローラの間を搬送されている記録媒体の状態の一例を示す平面図である。
【図５】第一調整ローラと第二調整ローラの一例を示す斜視図である。
【図６】第一調整ローラと第二調整ローラの間を搬送されている記録媒体の状態の他の例を示す平面図である。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１９】
＜インクジェット記録装置＞
インクジェット記録装置１０について、図１〜図３を参照して説明する。インクジェット記録装置１０は、画像記録装置の一例である。インクジェット記録装置１０では、長尺状の記録媒体１４が搬送され、記録媒体１４の記録面１５に画像が記録される。実施形態では、画像の記録に用いられるインク色は、イエロー、マゼンタ、シアン及びブラックの４色とする。インク色は、これら以外の色であってもよい。インク色数は、３色以下又は５色以上としてもよい。記録媒体１４としては、例えば、布帛が挙げられる。記録媒体１４では、短手方向の第一側の厚みＴ１は、第二側の厚みＴ２より厚くなる（厚みＴ１＞厚みＴ２）。図２では、長尺状の記録媒体１４の一部が図示されている。但し、記録媒体１４は、長手方向に連続する。記録媒体１４の幅Ｗ１は、例えば、数ｍｍ〜十数ｍｍ程度である。即ち、記録媒体１４は、細幅の長尺状の形状を有する。
【００２０】
インクジェット記録装置１０は、図１に示すように、搬送部２０と、記録ユニット８０と、制御装置９０を備える。搬送部２０は、記録媒体１４を、記録媒体１４の長手方向に沿って連続的に搬送する。実施形態では、搬送部２０によって記録媒体１４が搬送される方向を「搬送方向」という。搬送方向は、記録媒体１４の長手方向に沿った方向である。搬送部２０に関するこの他の説明は、後述する。
【００２１】
記録ユニット８０は、インクジェットヘッド８１Ｙと、インクジェットヘッド８１Ｍと、インクジェットヘッド８１Ｃと、インクジェットヘッド８１Ｋと、キャリッジ８４を備える。インクジェットヘッド８１Ｙは、イエローインクを吐出し、イエローインクにより画像を記録する記録部である。インクジェットヘッド８１Ｍは、マゼンタインクを吐出し、マゼンタインクにより画像を記録する記録部である。インクジェットヘッド８１Ｃは、シアンインクを吐出し、シアンインクにより画像を記録する記録部である。インクジェットヘッド８１Ｋは、ブラックインクを吐出し、ブラックインクにより画像を記録する記録部である。搬送部２０によって搬送される記録媒体１４は、搬送途中にインクジェットヘッド８１Ｙ，８１Ｍ，８１Ｃ，８１Ｋを通過する。
【００２２】
インクジェットヘッド８１Ｙ，８１Ｍ，８１Ｃ，８１Ｋは、同様の構成を有する。実施形態では、インクジェットヘッド８１Ｙ，８１Ｍ，８１Ｃ，８１Ｋを区別せず、又は、これらを総称する場合、「インクジェットヘッド８１」という。各色のインクは、色毎のインクタンク（不図示）に貯留され、各色のインク流路（不図示）を流れて、対応する色のインクジェットヘッド８１にそれぞれ供給される。
【００２３】
各色用のインクジェットヘッド８１は、ライン型のインクジェットヘッドである。ライン型のインクジェットヘッド８１では、搬送方向に直交する方向にノズル８２が配列される。例えば、インクジェットヘッド８１では、ノズル８２は、搬送方向に直交する方向において、記録媒体１４の幅Ｗ１以上の範囲Ｗ２に形成される（図３参照）。各色用のインクジェットヘッド８１において、対応する色のインクは、ノズル８２から吐出される。図３では、記録媒体１４は、２点鎖線で図示されている。搬送方向に直交する方向は、記録媒体１４の短手方向に一致する。記録媒体１４の短手方向は、記録媒体１４の幅方向である。
【００２４】
キャリッジ８４には、インクジェットヘッド８１Ｙ，８１Ｍ，８１Ｃ，８１Ｋが搭載される。インクジェットヘッド８１Ｙ，８１Ｍ，８１Ｃ，８１Ｋは、図１及び図３に示すように、搬送方向に隣り合った状態で配列されて、キャリッジ８４に搭載される。実施形態では、インクジェットヘッド８１Ｙが搬送方向の最上流側に設けられ、インクジェットヘッド８１Ｋが搬送方向の最下流側に設けられている。インクジェットヘッド８１Ｍとインクジェットヘッド８１Ｃは、搬送方向を基準として、インクジェットヘッド８１Ｍ、インクジェットヘッド８１Ｃの順で設けられている。各色用のインクジェットヘッド８１の搬送方向における配列順序は、前述した順序とは異なる順序としてもよい。これらの配列順序は、諸条件を考慮して適宜決定される。
【００２５】
インクジェット記録装置１０において、記録媒体１４に画像が記録されるとする。この場合、各色のインクは、インクジェットヘッド８１Ｙ，８１Ｍ，８１Ｃ，８１Ｋにそれぞれ形成されたノズル８２から、記録媒体１４に向けて吐出される。インクジェットヘッド８１Ｙ，８１Ｍ，８１Ｃ，８１Ｋの各ノズル８２から吐出された各色のインクは、記録媒体１４の記録面１５に着弾する。着弾した各色のインクにより記録面１５に画像が記録される。
【００２６】
制御装置９０は、制御部９２と、入出力部９４を備える。制御部９２は、各種処理用のコンピュータプログラムを実行する。インクジェット記録装置１０では、例えば、後述する画像記録方法が実行される。制御部９２が実行するコンピュータプログラムには、この画像記録方法の実行に関するコンピュータプログラムが含まれる。制御部９２は、各色用のインクジェットヘッド８１にそれぞれ形成されたノズル８２からの各色のインクの吐出を制御する。インクジェットヘッド８１での各色のインクの吐出は、画像データに従い制御される。画像データは、記録媒体１４の記録面１５に記録される画像に対応するデータである。制御部９２は、検出部５５からの検出信号を入出力部９４を介して取得する。制御部９２は、取得された検出信号に基づき、第二モータ５２に速度指令を出力する。検出部５５としては、例えば、ロータリーエンコーダが挙げられる。このような記録制御及び速度制御は、公知の制御技術である。そのため、これら各制御に関するこの他の説明は、省略する。
【００２７】
入出力部９４は、インクジェット記録装置１０が備える所定の構成を、制御装置９０に接続する接続インターフェースである。各種の信号（指令）は、入出力部９４を介して制御装置９０から出力される。所定の構成から出力された各種の信号は、入出力部９４を介して制御装置９０に入力される。インクジェット記録装置１０に、情報処理装置が接続されることがある。この場合、入出力部９４は、情報処理装置を接続する接続インターフェースを含む。記録される画像に対応する画像データは、情報処理装置からインクジェット記録装置１０に入力されるようにしてもよい。情報処理装置としては、例えば、パーソナルコンピュータが挙げられる。
【００２８】
インクジェット記録装置１０は、上述した構成の他、不図示の、供給部と、回収部を備える。供給部には、記録媒体１４がセットされる。記録媒体１４は、供給部から送出される。供給部から送出された記録媒体１４は、搬送部２０によって搬送方向に搬送される。記録媒体１４は、搬送途中にインクジェットヘッド８１Ｙ，８１Ｍ，８１Ｃ，８１Ｋを通過する。その際、記録媒体１４の記録面１５には、インクジェットヘッド８１Ｙ，８１Ｍ，８１Ｃ，８１Ｋにて画像が記録される。その後、搬送部２０の第三搬送ローラ３４を通過した記録媒体１４は、回収部によって回収される。
【００２９】
この他、インクジェット記録装置１０は、不図示の乾燥部を備えるようにしてもよい。乾燥部は、記録面１５に画像が記録された記録媒体１４を乾燥する。第三搬送ローラ３４を通過した記録媒体１４は、乾燥部内を通過し、その後、回収部によって回収される。供給部、回収部及び乾燥部は、公知のインクジェット記録装置が備える供給部、回収部及び乾燥部と同様の構成を有する。供給部、回収部及び乾燥部に関するこの他の説明は、省略する。
【００３０】
＜搬送部＞
搬送部２０について、図１、図４及び図５を参照して説明する。搬送部２０は、第一搬送ローラ２２と、第一ダンサローラ２４と、支持ローラ２６と、押圧ローラ２８と、第二搬送ローラ３０と、第二ダンサローラ３２と、第三搬送ローラ３４と、第一調整ローラ６１と、第二調整ローラ６２と、第一ピン７１と、第二ピン７２を備える。図１において、第一搬送ローラ２２、第一ダンサローラ２４、支持ローラ２６、押圧ローラ２８、第二搬送ローラ３０、第二ダンサローラ３２、第三搬送ローラ３４、第一調整ローラ６１及び第二調整ローラ６２の内部に記載した円弧状の矢印は、これら各ローラの回転方向を示す。
【００３１】
第一搬送ローラ２２、第一ダンサローラ２４、支持ローラ２６、押圧ローラ２８、第一調整ローラ６１及び第一ピン７１は、上流側領域に設けられる（図１参照）。上流側領域は、記録ユニット８０において搬送方向の最上流側に設けられるインクジェットヘッド８１Ｙより搬送方向の上流側となる領域である。前述の各部は、搬送方向を基準として、第一搬送ローラ２２、第一ダンサローラ２４、支持ローラ２６、第一調整ローラ６１及び第一ピン７１の順で、上流側領域に配置される。押圧ローラ２８は、第一搬送ローラ２２の上側で第一搬送ローラ２２の周側面に対向して設けられる。
【００３２】
第二搬送ローラ３０、第二ダンサローラ３２、第三搬送ローラ３４、第二調整ローラ６２及び第二ピン７２は、下流側領域に設けられる（図１参照）。下流側領域は、記録ユニット８０において搬送方向の最下流側に設けられるインクジェットヘッド８１Ｋより搬送方向の下流側となる領域である。前述の各部は、搬送方向を基準として、第二ピン７２、第二調整ローラ６２、第二搬送ローラ３０、第二ダンサローラ３２、第三搬送ローラ３４の順で、下流側領域に配置される。
【００３３】
搬送部２０では、第一搬送ローラ２２、第一ダンサローラ２４、支持ローラ２６、第一調整ローラ６１、第一ピン７１、第二ピン７２、第二調整ローラ６２、第二搬送ローラ３０、第二ダンサローラ３２及び第三搬送ローラ３４の各配置に沿って搬送経路が形成される。記録媒体１４は、これら各ローラと第一ピン７１及び第二ピン７２によって形成された搬送経路を、搬送方向に搬送される。
【００３４】
搬送部２０において、記録媒体１４は、第一搬送ローラ２２と第二搬送ローラ３０の間を、架け渡された状態で搬送される。第一搬送ローラ２２と第二搬送ローラ３０の間の記録媒体１４の部分には、張力が作用する。記録媒体１４は、第一搬送ローラ２２と第二搬送ローラ３０の間の領域において、ぴんと張った状態となる。第一搬送ローラ２２と第二搬送ローラ３０の間の記録媒体１４の部分は、吐出面８３に対向する記録媒体１４の部分を含む。吐出面８３に対向する記録媒体１４の部分は、記録面１５が水平な状態で、搬送方向に搬送される。即ち、記録媒体１４は、インクジェットヘッド８１Ｙ，８１Ｍ，８１Ｃ，８１Ｋを通過する際、吐出面８３と記録面１５の間隔がギャップＧで一定の状態となる。
【００３５】
第一搬送ローラ２２は、第一搬送軸４１に固定される。第一搬送ローラ２２は、記録媒体１４の記録面１５とは反対側の面に接する。第一搬送軸４１は、第一モータ５１に連結される。第一モータ５１は、第一搬送軸４１を、搬送方向に対応した方向に回転させる。これにより、第一搬送ローラ２２は、搬送方向に対応した方向に回転する。
【００３６】
第一ダンサローラ２４は、不図示の付勢部によって付勢される。例えば、第一ダンサローラ２４は、鉛直方向の下側に付勢される（図１参照）。付勢部としては、例えば、バネ、錘又はアクチュエータが挙げられる。アクチュエータとしては、例えば、エアシリンダが挙げられる。第一ダンサローラ２４は、第一搬送ローラ２２と第二搬送ローラ３０に架け渡された状態で搬送されている記録媒体１４を、鉛直方向の下側に引っ張る。第一ダンサローラ２４が記録媒体１４を引っ張る位置は、搬送方向において第一搬送ローラ２２と第二搬送ローラ３０の間で、且つ、吐出面８３に対向しない位置である。記録媒体１４は、第一搬送ローラ２２の周側面に沿って鉛直方向の下側に向かい、第一ダンサローラ２４に到達する。記録媒体１４は、第一ダンサローラ２４を折り返して鉛直方向の上側に向かい、支持ローラ２６に到達する。第一ダンサローラ２４は、記録媒体１４の記録面１５に接した状態で、搬送方向に対応した方向に従動して回転する。
【００３７】
支持ローラ２６は、記録媒体１４の記録面１５とは反対側の面に接する。支持ローラ２６は、支持軸４２に回転自在に固定される。支持ローラ２６は、記録媒体１４の記録面１５とは反対側の面に接した状態で、搬送方向に対応した方向に従動して回転する。搬送方向に搬送されている記録媒体１４は、支持ローラ２６の周側面に沿って屈曲する。記録媒体１４は、鉛直方向の下側から上側へと向かう方向から、水平方向に搬送される。
【００３８】
記録媒体１４は、第一搬送ローラ２２と支持ローラ２６の間において、第一ダンサローラ２４によって鉛直方向の下側に引っ張られる。鉛直方向の下側に引っ張られた記録媒体１４は、第一搬送ローラ２２と支持ローラ２６の間をＵ字状に垂れ下がった状態となる（図１参照）。第一搬送ローラ２２と第二搬送ローラ３０に架け渡された状態で搬送されている記録媒体１４に対する張力は、記録媒体１４を、第一搬送ローラ２２と支持ローラ２６によって支持した状態で、付与される。
【００３９】
押圧ローラ２８は、不図示の付勢部によって、第一搬送ローラ２２の側に付勢される。図１に基づけば、押圧ローラ２８は、鉛直方向の下側に付勢される。押圧ローラ２８は、記録媒体１４の記録面１５に接する。押圧ローラ２８は、記録媒体１４の記録面１５に接した状態で、記録媒体１４を第一搬送ローラ２２の周側面に押圧する。押圧ローラ２８は、押圧軸４３に回転自在に固定される。押圧ローラ２８は、記録媒体１４の記録面１５に接した状態で、搬送方向に対応した方向に従動して回転する。
【００４０】
第二搬送ローラ３０は、第二搬送軸４４に固定される。第二搬送ローラ３０は、記録媒体１４の記録面１５とは反対側の面に接する。第二搬送軸４４は、第二モータ５２に連結される。第二モータ５２は、第二搬送軸４４を搬送方向に対応した方向に回転させる。第二モータ５２としては、例えば、回転を精度よく制御することができるモータが採用される。このようなモータとしては、例えば、サーボモータが挙げられる。第二モータ５２の回転又は第二搬送ローラ３０の回転は、検出部５５によって計測される。第二モータ５２の回転は、検出部５５での検出結果に従い制御される。第二搬送ローラ３０は、第二モータ５２によって回転が制御された状態で、搬送方向に対応した方向に回転する。搬送部２０による記録媒体１４の搬送は、搬送速度及び搬送量が制御された状態で行われる。
【００４１】
第二ダンサローラ３２は、不図示の付勢部によって付勢される。例えば、第二ダンサローラ３２は、鉛直方向の下側に付勢される（図１参照）。付勢部としては、例えば、バネ、錘又はアクチュエータが挙げられる。アクチュエータとしては、例えば、エアシリンダが挙げられる。第二ダンサローラ３２は、搬送方向において第二搬送ローラ３０と第三搬送ローラ３４の間で、記録媒体１４を鉛直方向の下側に引っ張る。記録媒体１４は、第二搬送ローラ３０の周側面に沿って鉛直方向の下側に向かい、第二ダンサローラ３２に到達する。記録媒体１４は、第二ダンサローラ３２を折り返して鉛直方向の上側に向かい、第三搬送ローラ３４に到達する。第二ダンサローラ３２は、記録媒体１４の記録面１５に接した状態で、搬送方向に対応した方向に従動して回転する。
【００４２】
第二搬送ローラ３０と第三搬送ローラ３４の間で、記録媒体１４を捩るようにしてもよい。この場合、記録媒体１４は、第二搬送ローラ３０と第二ダンサローラ３２の間で、第一方向に１８０°捩られる。その後、記録媒体１４は、第二ダンサローラ３２と第三搬送ローラ３４の間で、第二方向に１８０°捩られる。第二方向は、第一方向とは反対方向である。第二ダンサローラ３２は、記録媒体１４の記録面１５とは反対側の面に接した状態で、搬送方向に対応した方向に従動して回転する。
【００４３】
第三搬送ローラ３４は、第三搬送軸４５に固定される。第三搬送ローラ３４は、記録媒体１４の記録面１５とは反対側の面に接する。第三搬送軸４５は、第三モータ５３に連結される。第三モータ５３は、第三搬送軸４５を搬送方向に対応した方向に回転させる。これにより、第三搬送ローラ３４は、搬送方向に対応した方向に回転する。搬送方向に搬送されている記録媒体１４は、第三搬送ローラ３４の周側面に沿って屈曲する。記録媒体１４は、鉛直方向の下側から上側へと向かう方向から、水平方向に搬送される。
【００４４】
記録媒体１４は、第二搬送ローラ３０と第三搬送ローラ３４の間において、第二ダンサローラ３２によって鉛直方向の下側に引っ張られる。鉛直方向の下側に引っ張られた記録媒体１４は、第二搬送ローラ３０と第三搬送ローラ３４の間をＵ字状に垂れ下がった状態となる（図１参照）。搬送方向において第二搬送ローラ３０以降を搬送されている記録媒体１４に対する張力は、記録媒体１４を、第二搬送ローラ３０と第三搬送ローラ３４によって支持した状態で、付与される。付与された張力により、記録媒体１４は、第二搬送ローラ３０の周側面に押圧される。搬送部２０では、第三モータ５３として、回転を制御することができるモータを採用するようにしてもよい。第三モータ５３の回転を制御することで、第二ダンサローラ３２の鉛直方向の位置を制御することができる。これにより、第二搬送ローラ３０に対する記録媒体１４の押圧力を、一定とすることができる。
【００４５】
第一調整ローラ６１は、記録媒体１４の記録面１５とは反対側の面に接する。第一調整ローラ６１は、第一調整軸６３に回転自在に固定される。第一調整ローラ６１は、記録媒体１４の記録面１５とは反対側の面に接した状態で、搬送方向に対応した方向に従動して回転する。第二調整ローラ６２は、記録媒体１４の記録面１５とは反対側の面に接する。第二調整ローラ６２は、第二調整軸６４に回転自在に固定される。第二調整ローラ６２は、記録媒体１４の記録面１５とは反対側の面に接した状態で、搬送方向に対応した方向に従動して回転する。
【００４６】
第一調整ローラ６１と第二調整ローラ６２は、搬送方向に並んで設けられる（図４参照）。このとき、第一調整ローラ６１と第二調整ローラ６２は、各ローラの短手方向の基準位置が一致した状態で配置される。実施形態では、第一調整ローラ６１と第二調整ローラ６２の基準位置は、周側面６５，６６の短手方向の中心位置とする。周側面６５は、第一調整ローラ６１の周側面である。周側面６６は、第二調整ローラ６２の周側面である。図４に示す基準線Ｌは、短手方向における周側面６５，６６の各中心位置を通る直線である。基準線Ｌは、搬送方向に沿った直線でもある。実施形態では、第一搬送ローラ２２、第一ダンサローラ２４、支持ローラ２６、押圧ローラ２８、第二搬送ローラ３０、第二ダンサローラ３２及び第三搬送ローラ３４も、短手方向における各ローラの周側面の中心位置が基準線Ｌに一致した状態で、それぞれ配置される。
【００４７】
第一調整ローラ６１と第二調整ローラ６２は、図５に示すような形状をした同じローラによって構成される。第一調整ローラ６１の周側面６５と第二調整ローラ６２の周側面６６は、短手方向の第一側と第二側のそれぞれから中央側（図４に示す「基準線Ｌ」の側）に向かって傾斜した凹状面をなす。例えば、周側面６５，６６は、基準線Ｌの位置が谷底位置となる円弧状の凹状曲面とされる（図４及び図５参照）。実施形態では、谷底位置が基準線Ｌに一致する周側面６５，６６が円弧状の凹状曲面である場合を例として説明する。第一調整ローラ６１は、周側面６５で、記録媒体１４の記録面１５とは反対側の面に接する。第二調整ローラ６２は、周側面６６で、記録媒体１４の記録面１５とは反対側の面に接する。
【００４８】
第一ピン７１は、搬送方向において第一調整ローラ６１とインクジェットヘッド８１Ｙの間となる上流側領域の所定の位置で、鉛直方向に立てて設けられる（図１及び図４参照）。第一ピン７１は、インクジェット記録装置１０のフレーム１１に取り付けられる。第二ピン７２は、搬送方向においてインクジェットヘッド８１Ｋと第二調整ローラ６２の間となる下流側領域の所定の位置で、鉛直方向に立てて設けられる（図１及び図４参照）。第二ピン７２は、インクジェット記録装置１０のフレーム１１に取り付けられる。第一ピン７１と第二ピン７２は、同一の円柱状部材により形成され、同一の形状を有する。
【００４９】
第一ピン７１と第二ピン７２は、短手方向において、次のような位置にそれぞれ設けられる。即ち、第一ピン７１は、鉛直方向に立てて設けられた状態で、側面部Ｒ１が、第一調整ローラ６１と第二調整ローラ６２の各周側面６５，６６の谷底位置より短手方向の第二側となる位置に設けられる（図４参照）。側面部Ｒ１は、第一ピン７１の周側面のうち、短手方向の第二側となる部分である。第一ピン７１は、側面部Ｒ１で、第一調整ローラ６１を通過した記録媒体１４の短手方向の第一側の側端部に接する。第二ピン７２は、鉛直方向に立てて設けられた状態で、側面部Ｒ２が、第一調整ローラ６１と第二調整ローラ６２の各周側面６５，６６の谷底位置より短手方向の第二側となる位置に設けられる（図４参照）。側面部Ｒ２は、第二ピン７２の周側面のうち、短手方向の第二側となる部分である。第二ピン７２は、側面部Ｒ２で、インクジェットヘッド８１Ｋを通過した記録媒体１４の短手方向の第一側の側端部に接する。第一ピン７１と第二ピン７２は、図４に示すように、搬送方向に並んで設けられる。そのため、第一ピン７１の側面部Ｒ１と第二ピン７２の側面部Ｒ２は、短手方向における配置が同一となる。
【００５０】
＜画像記録方法＞
インクジェット記録装置１０で実行される画像記録方法について、図１及び図４を参照して説明する。画像記録方法は、搬送工程と、記録工程を含む。搬送工程は、搬送部２０によって、記録媒体１４を架け渡された状態で搬送方向に連続的に搬送する工程である（図１参照）。搬送工程では、第一モータ５１と第二モータ５２と第三モータ５３が駆動する。搬送工程は、上流側調整工程と、上流側接触工程と、下流側接触工程と、下流側調整工程を含む。上流側調整工程は、架け渡された状態で搬送されている記録媒体１４を、第一調整ローラ６１を通過させる工程である。上流側接触工程は、架け渡された状態で搬送され且つ第一調整ローラ６１を通過した記録媒体１４の短手方向の第一側の側端部を、第一ピン７１に接させる工程である。下流側接触工程は、架け渡された状態で搬送され且つインクジェットヘッド８１Ｋを通過した記録媒体１４の短手方向の第一側の側端部を、第二ピン７２に接させる工程である。下流側調整工程は、架け渡された状態で搬送され且つ第二ピン７２を通過した記録媒体１４を、第二調整ローラ６２を通過させる工程である。記録工程は、搬送工程で搬送部２０により搬送されている記録媒体１４の記録面１５に、インクジェットヘッド８１Ｙ，８１Ｍ，８１Ｃ，８１Ｋによって画像を記録する工程である。
【００５１】
搬送部２０によって搬送方向に搬送され、第一調整ローラ６１に到達した記録媒体１４は、記録面１５とは反対側の面で、第一調整ローラ６１の周側面６５に接する。このとき、記録媒体１４は、厚みＴ１となる短手方向の第一側の側端部が周側面６５の谷底部分に配置され、谷底部分より短手方向の第二側となる周側面６５の部分に沿った状態となる（上流側調整工程  図４参照）。この状態は、第一調整ローラ６１の通過に伴い解放される。解放後、記録媒体１４は、再度、記録面１５が水平な状態となる。
【００５２】
記録媒体１４は、第一調整ローラ６１を通過した後、引き続き、搬送方向を第二調整ローラ６２の側に搬送される。第一ピン７１と第二ピン７２は、第二調整ローラ６２の側に搬送されている記録媒体１４の短手方向の第一側の側端部（厚みＴ１）に、側面部Ｒ１，Ｒ２で接する（上流側接触工程及び下流側接触工程  図４参照）。上流側接触工程及び下流側接触工程では、第一ピン７１と第二ピン７２は、記録媒体１４を短手方向の第二側に押圧する。上述した通り、第一ピン７１の側面部Ｒ１と第二ピン７２の側面部Ｒ２は、短手方向における配置が同一となる。そのため、記録媒体１４は、側面部Ｒ１，Ｒ２の間を基準線Ｌに沿って直線的に搬送される。この搬送途中に、記録媒体１４は、インクジェットヘッド８１Ｙ，８１Ｍ，８１Ｃ，８１Ｋを通過する。記録媒体１４の記録面１５には、インクジェットヘッド８１Ｙ，８１Ｍ，８１Ｃ，８１Ｋにそれぞれ形成されたノズル８２から各色のインクが吐出される（記録工程）。インクジェットヘッド８１Ｙ，８１Ｍ，８１Ｃ，８１Ｋの各ノズル８２から吐出された各色のインクは、記録媒体１４の記録面１５に着弾する。着弾した各色のインクにより記録面１５に画像が記録される。図４では、記録ユニット８０は、２点鎖線で図示されている。
【００５３】
第二ピン７２を通過した記録媒体１４は、第二調整ローラ６２に到達する。記録媒体１４は、厚みＴ１となる短手方向の第一側の側端部が周側面６６の谷底部分に配置され、谷底部分より短手方向の第二側となる周側面６６の部分に沿った状態となる（下流側調整工程  図４参照）。この状態は、第二調整ローラ６２の通過に伴い解放される。解放後、記録媒体１４は、再度、記録面１５が水平な状態となる。記録媒体１４は、更に、搬送方向を第二搬送ローラ３０の側に搬送される。画像記録方法は、制御部９２がこの方法の終了を指示する指令を取得するまで連続して行われる。終了を指示する指令は、例えば、作業者が所定の操作部（不図示）を操作することで制御装置９０に入力される。
【００５４】
＜実施形態の効果＞
インクジェット記録装置１０に、次のような搬送部２０を設けることとした。即ち、搬送部２０は、長尺状の記録媒体１４を、第一搬送ローラ２２と第二搬送ローラ３０の間を架け渡された状態で、搬送方向に連続的に搬送する（図１参照）。搬送対象である記録媒体１４は、短手方向の第一側の厚みＴ１が第二側の厚みＴ２より厚くなる長尺状の記録媒体である（図２参照）。搬送部２０は、第一調整ローラ６１と、第二調整ローラ６２と、第一ピン７１と、第二ピン７２を備える（図１及び図４参照）。第一搬送ローラ２２と第二搬送ローラ３０の間の記録媒体１４の部分には、張力が作用する。
【００５５】
第一調整ローラ６１は、搬送方向において第一搬送ローラ２２とインクジェットヘッド８１Ｙの間に設けられる（図１参照）。第二調整ローラ６２は、搬送方向においてインクジェットヘッド８１Ｋと第二搬送ローラ３０の間に設けられる（図１参照）。第一調整ローラ６１と第二調整ローラ６２は、搬送方向に並んで設けられる（図１及び図４参照）。第一調整ローラ６１と第二調整ローラ６２では、周側面６５，６６が、短手方向の第一側と第二側のそれぞれから中央側に向かって傾斜した凹状面とされる（図４及び図５参照）。記録媒体１４は、厚みＴ１となる短手方向の第一側の側端部が周側面６５の谷底部分に配置された状態で、第一調整ローラ６１を通過する（図４参照）。記録媒体１４は、厚みＴ１となる短手方向の第一側の側端部が周側面６６の谷底部分に配置された状態で、第二調整ローラ６２を通過する（図４参照）。
【００５６】
第一ピン７１は、搬送方向において第一調整ローラ６１とインクジェットヘッド８１Ｙの間となる上流側領域の所定の位置に、鉛直方向に立てて設けられる（図１及び図４参照）。第二ピン７２は、搬送方向においてインクジェットヘッド８１Ｋと第二調整ローラ６２の間となる下流側領域の所定の位置に、鉛直方向に立てて設けられる（図１及び図４参照）。第一ピン７１と第二ピン７２は、搬送方向に並んで設けられる（図１及び図４参照）。第一ピン７１と第二ピン７２は、側面部Ｒ１，Ｒ２が第一調整ローラ６１と第二調整ローラ６２の各周側面６５，６６の谷底位置より短手方向の第二側となる位置に設けられる（図４参照）。このように設けられる第一ピン７１と第二ピン７２は、第二調整ローラ６２の側に搬送されている記録媒体１４の短手方向の第一側の側端部（厚みＴ１）に、側面部Ｒ１，Ｒ２で接する（図４参照）。第一ピン７１と第二ピン７２は、記録媒体１４を短手方向の第二側に押圧する。
【００５７】
そのため、記録媒体１４が、短手方向の第一側の厚みＴ１が第二側の厚みＴ２より厚くなる長尺状の記録媒体であっても、記録媒体１４を搬送方向に安定して搬送することができる。これに伴い、インクジェットヘッド８１Ｙ，８１Ｍ，８１Ｃ，８１Ｋを通過途中の記録媒体１４の部分を、直線的に搬送することができる。第一ピン７１と第二ピン７２により、記録媒体１４の直線的な搬送をガイドし、短手方向の第一側への記録媒体１４の移動を規制することができる。その結果、インクジェットヘッド８１Ｙ，８１Ｍ，８１Ｃ，８１Ｋを通過途中の記録媒体１４の部分の位置と状態を、安定させることができる。記録媒体１４がインクジェットヘッド８１Ｙ，８１Ｍ，８１Ｃ，８１Ｋを通過している際、記録媒体１４の記録面１５を水平な状態に維持することができる。シンプルな構成で、インクジェットヘッド８１Ｙ，８１Ｍ，８１Ｃ，８１Ｋを通過する記録媒体１４の斜行又は蛇行を抑制することができる。第二ピン７２と第二調整ローラ６２が、画像が記録された記録面１５に接することがない。記録媒体１４の記録面１５に記録された画像を高品位な状態に維持することができる。インクジェット記録装置１０では、高品位な画像の記録が可能となる。
【００５８】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００５９】
（１）上記では、ライン型のインクジェットヘッド８１Ｙ，８１Ｍ，８１Ｃ，８１Ｋをキャリッジ８４に搭載した記録ユニット８０を備えるインクジェット記録装置１０を例として説明した（図１、図３及び図４参照）。搬送部２０は、シリアル型のインクジェット記録装置の搬送部として採用することもできる。シリアル型のインクジェット記録装置は、記録ユニットを主走査方向に往復移動させながら、画像を記録する。主走査方向は、搬送方向に直交する方向である。主走査方向は、長尺状の記録媒体１４の短手方向に一致する。シリアル型のインクジェット記録装置において、搬送部２０は、記録媒体１４を搬送方向に連続的に搬送する。但し、シリアル型のインクジェット記録装置では、搬送部２０による記録媒体１４の連続的な搬送は、上述したライン型の場合とは異なり、次のように行われる。即ち、この搬送部２０による記録媒体１４の連続的な搬送は、記録ユニットの主走査方向への移動に対応させて間欠的に行われる。主走査方向に往復移動する記録ユニットにおいて、各色用のインクジェットヘッドは、主走査方向に隣り合った状態でキャリッジに搭載される。シリアル型のインクジェット記録装置では、記録ユニットが記録面１５上を通過し、吐出面が記録面１５に対向している所定のタイミングで、各色用のインクが各色用のインクジェットヘッドに形成されたノズルから吐出される。
【００６０】
この他、搬送部２０は、インクジェット方式とは異なる記録方式の記録部を備える画像記録装置の搬送部として採用することもできる。
【００６１】
（２）上記では、第一ピン７１と第二ピン７２を、短手方向において、次のような位置にそれぞれ設けた搬送部２０を例として説明した。即ち、第一ピン７１は、側面部Ｒ１が、第一調整ローラ６１と第二調整ローラ６２の各周側面６５，６６の谷底位置より短手方向の第二側となる位置に設けられる（図４参照）。第二ピン７２は、側面部Ｒ２が、第一調整ローラ６１と第二調整ローラ６２の各周側面６５，６６の谷底位置より短手方向の第二側となる位置に設けられる（図４参照）。第一ピン７１と第二ピン７２は、図６に示す位置にそれぞれ設けられるようにしてもよい。図６に示す状態では、第一ピン７１の側面部Ｒ１の位置は、第一調整ローラ６１と第二調整ローラ６２の各周側面６５，６６の谷底位置（図６に示す「基準線Ｌ」参照）に合わせられる。第二ピン７２の側面部Ｒ２の位置は、第一調整ローラ６１と第二調整ローラ６２の各周側面６５，６６の谷底位置に合わせられる。この場合、記録媒体１４は、第一調整ローラ６１と第一ピン７１の間と、第二ピン７２と第二調整ローラ６２の間で、短手方向に曲がることなく搬送される（図６参照）。第一ピン７１と第二ピン７２の短手方向の位置を調整する機構を設けるようにしてもよい。これにより、第一ピン７１と第二ピン７２の短手方向の位置を、例えば、図４又は図６の各状態へと変更することができる。
【００６２】
（３）上記では、第一ピン７１と第二ピン７２が設けられた搬送部２０を備えるインクジェット記録装置１０を例として説明した（図１及び図４参照）。第一ピン７１と第二ピン７２は、省略するようにしてもよい。即ち、上述した実施形態に基づけば、次のようなインクジェット記録装置を特定することができる。インクジェット記録装置は、搬送部と、インクジェットヘッド８１Ｙ，８１Ｍ，８１Ｃ，８１Ｋを備える。搬送部は、長尺状の記録媒体１４を、架け渡された状態で記録媒体１４の長手方向に沿った搬送方向に連続的に搬送する。インクジェットヘッド８１Ｙ，８１Ｍ，８１Ｃ，８１Ｋは、搬送部によって搬送されている記録媒体１４の記録面１５に画像を記録する。各色用のインクジェットヘッド８１の搬送方向における配列順序は、上記同様である。搬送部は、第一調整ローラ６１と、第二調整ローラ６２を備える。第一調整ローラ６１は、インクジェットヘッド８１Ｙより搬送方向の上流側に設けられる。架け渡された状態で搬送されている記録媒体１４は、第一調整ローラ６１を通過する。第二調整ローラ６２は、インクジェットヘッド８１Ｋより搬送方向の下流側で且つ第一調整ローラ６１と搬送方向に並んで設けられる。架け渡された状態で搬送されている記録媒体１４は、第二調整ローラ６２を通過する。第一調整ローラ６１と第二調整ローラ６２は、記録媒体１４の記録面１５とは反対側の面に接する周側面６５，６６が短手方向の第一側と第二側のそれぞれから中央側に向かって傾斜した凹状面をなす。
【００６３】
そのため、記録媒体１４の短手方向の第一側の側端部を、周側面６５，６６が凹状面をなす第一調整ローラ６１と第二調整ローラ６２の各谷底部分に配置することができる。このような配置により、記録媒体１４が、短手方向の第一側の厚みＴ１が第二側の厚みＴ２より厚くなる長尺状の記録媒体であっても、記録媒体１４を搬送方向に安定して搬送することができる。これに伴い、インクジェットヘッド８１Ｙ，８１Ｍ，８１Ｃ，８１Ｋを通過途中の記録媒体１４の部分を直線的に搬送することができる。画像が記録された記録面１５に接することなく、記録媒体１４の斜行又は蛇行を抑制することができる。
【符号の説明】
【００６４】
１０  インクジェット記録装置、  １１  フレーム、  １４  記録媒体
１５  記録面、  ２０  搬送部、  ２２  第一搬送ローラ
２４  第一ダンサローラ、  ２６  支持ローラ、  ２８  押圧ローラ
３０  第二搬送ローラ、  ３２  第二ダンサローラ
３４  第三搬送ローラ、  ４１  第一搬送軸、  ４２  支持軸
４３  押圧軸、  ４４  第二搬送軸、  ４５  第三搬送軸
５１  第一モータ、  ５２  第二モータ、  ５３  第三モータ
５５  検出部、  ６１  第一調整ローラ、  ６２  第二調整ローラ
６３  第一調整軸、  ６４  第二調整軸、  ６５，６６  周側面
７１  第一ピン、  ７２  第二ピン、  ８０  記録ユニット
８１，８１Ｙ，８１Ｍ，８１Ｃ，８１Ｋ  インクジェットヘッド
８２  ノズル、  ８３  吐出面、  ８４  キャリッジ、  ９０  制御装置
９２  制御部、  ９４  入出力部、  Ｇ  ギャップ、  Ｌ  基準線
Ｒ１，Ｒ２  側面部、  Ｔ１，Ｔ２  厚み、  Ｗ１  幅、  Ｗ２  範囲
【図１】
0006462577.tif 000002
【図２】
0006462577.tif 000003
【図３】
0006462577.tif 000004
【図４】
0006462577.tif 000005
【図５】
0006462577.tif 000006
【図６】
0006462577.tif 000007